(57)【要約】【目的】本発明は、従来の温灸の如く煙や臭気が漂うことがなく、体のいろんな経穴を変えて温灸を施すよう移動しても支障なく、長時間使用出来るようにすることを課題とする。【構成】本発明では、底部に浸透材１１を設けた筒体１の内部に塩化ナトリウムの固化層２を設け、この塩化ナトリウムの固化層２上に中央に放射孔３を設けた過熱調節板４を載せ、さらに熱調節板４の上に炭化燃焼材５を入れた発熱容器６を載置し、この発熱容器６を覆って筒体１の上部に通気性カバー７を取り付けて温灸用具を構成した。【選択図】　　　　　図１
2004016778.tif 000002
【特許請求の範囲】
【請求項１】
底部に浸透材（１１）を設けた筒体（１）の内部に塩化ナトリウムの固化層（２）を設け、この塩化ナトリウムの固化層（２）上に中央に放射孔（３）を設けた過熱調節板（４）を載せ、さらにこの加熱調節板（４）の上に炭化燃焼材（５）を入れた燃焼容器（６）を載置し、この燃焼容器（６）を覆って筒体（１）の上部に通気性カバー（７）を取り付けてなる温灸用具。
【請求項２】
筒体（１）の外側に左右一対の吊金具（８），（９）を開平可能に設け、この左右吊金具（８），（９）は通気性カバー（７）を挟み込んで固定すると共に上部を棒状に形成し、この上部を一緒して環（１０）を外嵌して固定してなる請求項１に記載の温灸用具。
【請求項３】
炭化燃焼材（４）が蓬等の菊科植物の茎を炭化したものである請求項１に記載の温灸用具。
【発明の詳細な説明】
【０００１】
【発明が属する技術分野】
本発明は、温灸を施す温灸用具に関する。
【０００２】
【従来の技術】
温灸は、人体の循環路の経穴（つぼ）に熱刺激を与えることによって、血流を潤滑にし、凝りや痛みを和らげて健康を回復する施術方法である。
温灸用具は、例えば、特許第２７７９３６４号の特許公報に記載された如く、筒状陶器容器の底部に練り漢方薬を固定しこの練り漢方薬の底部を布で覆ったものがある。この陶器容器を体の経穴（つぼ）に載せて漢方薬の上でモグサを燃焼させて施術する。
【０００３】
【発明が解決しようとする課題】
このような従来の温灸用具は、モグサを燃焼させ漢方薬として味噌、大蒜、生姜等が用いられる。
このため、もぐさが燃焼することによる煙や漢方薬が過熱されることによる臭気が漂い、長期間同じ部屋で使用することで部屋全体に独特の臭気が漂う雰囲気になり、喘息の患者には耐えられなくなる。
本発明は、このような煙や臭気が漂うことがなく、体のいろんな部分を変えて温灸を施せるよう移動しても支障なく長時間使用出来るようにすることを課題とする。
【０００４】
【課題を解決するための手段】
本発明では、底部に浸透材１１を設けた筒体１の内部に塩化ナトリウムの固化層２を設け、この塩化ナトリウムの固化層２上に中央に放射孔３を設けた過熱調節板４を載せ、さらにその加熱調節板４の上に炭化燃焼材５を入れた燃焼容器６を載置し、この燃焼容器６を覆って筒体１の上部に通気性カバー７を取り付けて温灸用具を構成した。
【０００５】
また、筒体１の外側に左右一対の吊金具８，９を開平可能に設け、この左右吊金具８，９は通気性カバー７を挟み込んで固定すると共に上部を棒状に形成し、この上部を一緒して環１０を外嵌することで一体化するようにした。
さらに、炭化燃焼材５としては、蓬等の菊科植物の茎を炭化したものとした。
【０００６】
【発明の作用効果】
本発明の温灸用具は、上記の構成であるから、燃焼容器６内で燃焼する炭化燃焼材５から出る遠赤外線が加熱調節板４の放射孔３を通って塩化ナトリウムの固化層２を貫通し、浸透材１１から人体へ温熱作用を施し、治療効果を上げるようになる。
【０００７】
熱源として炭化燃焼材５を燃焼させて発生しているために匂いが生じなく、燃焼容器６の内部で燃焼するため、倒しても灰などが飛散することが無く、温灸を施す経穴の位置を変更しながら治療できる。
【０００８】
また、筒体１の外側に左右一対の吊金具８，９を開平可能に設け、この左右吊金具８，９は通気性カバー７を挟み込んで固定すると共に上部を棒状に形成し、この上部を一緒して環１０を外嵌することで一体化するようにしているので、吊金具８，９を片手で持って操作でき、環１０を外して吊金具８，９を開けば通気性カバー７を外すだけで燃焼容器６の取出しが行え、炭化燃焼材５の供給作業も簡単である。
【０００９】
さらに、炭化燃焼材５としては、蓬等の菊科植物の茎を炭化したものとすることで、燃焼時間を長くできる。
【００１０】
【実施例】
次に、図面を参照しながら本発明の一実施例を説明する。
図１は、本発明を実施した温灸用具の分解斜視図で、耐熱樹脂の筒体１の底部に浸透材１１を外勘して取り付け、その内部へ塩化ナトリウムを入れてそこへ水を滴下して固化層２を形成している。浸透材１１としては、遠赤外線が貫通するズポンジや布等の材料を用いる。
【００１１】
筒体１の外側には左右に吊金具８，９を開平可能に取り付けている。両金具８，９の上端は、棒状に折り曲げ紐１３，１４を巻きつけて取手状にし、片方に環１０を吊り下げている。
【００１２】
塩化ナトリウムの固化層２の上に載せる熱調節板４は、金属製で外径が筒体１に納まる円盤状にして中央に円形の放射孔３を形成し、上部の炭化燃焼材５から放散される遠赤外線の下方への通過量を放射孔３で調節する。この熱調節板４は、放射孔３の径を変えたものを複数用意しておいて、人体への加熱効果を変更出来るようにしている。
【００１３】
炭化燃焼材５を入れる燃焼容器６は、底部に網を張った金属筒状で、熱調節板４に載せる脚１５を取り付けている。
１６は、燃焼容器５の蓋で、中央に開けた孔１７の大きさで炭化燃焼材５の燃焼速度すなわち加熱温度を調節できる。
【００１４】
炭化燃焼材５は、木炭、竹炭といろいろ利用できるが、実験の結果では蓬の茎を炭化したものが燃焼時間を長く過熱も徐々に行われるので最適であった。
７は、筒体１に勘合する通気性カバーで、外周を網状にし上部内側に金属覆い１９を介して布２１を張って熱くならないようにしている。金属覆い１９の中央には小径の通気孔２０を設けている。
【００１５】
使用する場合には、塩化ナトリウムを筒体１の底部に入れ、少し水を加えて固化層２を形成し、この固化層２上に加熱調節板４を載せ、着火した炭化燃焼材５を入れた燃焼容器６を入れて筒状の通気性カバー７で燃焼容器６の蓋１６を押さえながらこの通気性カバー７を筒体１に勘合させ、さらに左右の吊金具８，９で通気性カバー７の外側を少し押さえながら上端から環１０を嵌めて固定する。
【００１６】
本発明の温灸用具を用いて温灸を施すには、図４に示す如く、自分の手で吊金具８，９の上端を持って人体の経穴に筒体１の底部を押し当てて施術したり、図示を省略したが、吊金具８，９の上端に取り付けた紐で吊器具８，９を吊り下げて寝そべった腰の部分にある経穴に筒体１の底部を当てて施術したりする。
【図面の簡単な説明】
【図１】本発明を示す実施例の分解斜視図である。
【図２】本発明を示す実施例を示す拡大正断面図である。
【図３】本発明を示す実施例の外観斜視図である。
【図４】使用状態を示す斜視図である。
【符号の説明】
１　　筒体
２　　塩化ナトリウムの固化層
３　　放射孔
４　　過熱調節板
５　　炭化燃焼材
６　　燃焼容器
７　　通気性カバー
８，９　　吊金具
１０　　環
１１　　浸透材
【図１】
2004016778.tif 000003
【図２】
2004016778.tif 000004
【図３】
2004016778.tif 000005
【図４】
2004016778.tif 000006